(57)【要約】【課題】展望窓から差し込む強い日差しを確実に避けることができるとともに、可能な限り展望窓からの眺望を楽しむことのできる展望用エレベータの提供。【解決手段】乗かご１内の光量を検知する照度検知器５と、乗かご１内の温度を検知する温度検知器６と、昼モードおよび夜モードに切替える昼夜切替えタイマ９とを設け、制御手段７は、昼夜切替えタイマ９が夜モードのときブラインド開指令を出力し、一方、昼夜切替えタイマ９が昼モードのとき、検知光量が予め定められる所定値以上に達したことに応じてブラインド閉指令を出力するとともに、検知光量が予め定められる所定値以下に達したことに応じてブラインド開指令を出力し、かつ、検知温度が予め定められる所定値以上に達したことに応じてブラインド閉指令を出力するとともに、検知温度が予め定められる所定値以下に達したことに応じてブラインド開指令を出力するようになっている。【選択図】図１
2008063038.tif 000002
【特許請求の範囲】
【請求項１】
乗かごに、外部を眺望可能とする展望窓と、この展望窓の内側に配置され多数の羽根を有するブラインドと、このブラインドを開閉する駆動手段とを備えた展望用エレベータにおいて、
前記乗かご内の光量を検知する照度検知器と、前記乗かご内の温度を検知する温度検知器と、日の出日の入り時刻に基づき予め設定され、昼モードおよび夜モードに切替える昼夜切替えタイマと、前記駆動手段を制御する制御手段とを設け、前記制御手段は、昼夜切替えタイマが夜モードのとき前記駆動手段にブラインド開指令を出力し、一方、昼夜切替えタイマが昼モードのとき、前記照度検知器の検知光量が予め定められる所定値以上に達したことに応じて前記駆動手段にブラインド閉指令を出力するとともに、前記照度検知器の検知光量が予め定められる所定値以下に達したことに応じて前記駆動手段にブラインド開指令を出力し、かつ、前記温度検知器の検知温度が予め定められる所定値以上に達したことに応じて前記駆動手段にブラインド閉指令を出力するとともに、前記温度検知器の検知温度が予め定められる所定値以下に達したことに応じて前記駆動手段にブラインド開指令を出力することを特徴とした展望用エレベータ。
【請求項２】
前記乗かごにイルミネーションランプを備え、前記昼夜切替えタイマが夜モードに切替えられることに応じて前記イルミネーションランプを動作させるとともに、前記乗かごの運転状況に応じて前記イルミネーションランプを複数の異なるパターンで点灯することを特徴とした請求項１記載の展望用エレベータ。
【発明の詳細な説明】
【技術分野】
【０００１】
本発明は、乗かごに、外部を眺望可能とする展望窓を備えた展望用エレベータに関する。
【背景技術】
【０００２】
乗かご内の利用客が景色を楽しむため、また、ビルの景観向上を狙い、乗かごに、外部を眺望可能とするガラス製の展望窓を備えた展望用エレベータがある。このような展望用エレベータにあっては、商品として魅力的な一面がある一方、日差しが強い日には、乗かご内がガラスのレンズ効果で眩しくなるとともに、乗かご内の温度が上昇し、利用客が不快感を覚えるという問題があった。
【０００３】
このため従来、展望窓の内側に配置され多数の羽根を有するブラインドを備え、手動釦操作によりブラインドを開閉させるようにしたものが提案されている（例えば、特許文献１参照）。
【０００４】
また、家屋に、窓の内側に配置され多数の羽根を有するブラインドと、光量に基づきブラインドの傾斜角度を調整する調整手段とを備え、室内の明るさを調整するものが提案されている（例えば、特許文献２参照）。
【特許文献１】特開平８−６７４６７号公報
【特許文献２】特開２０００−３０３７６０号公報
【発明の開示】
【発明が解決しようとする課題】
【０００５】
しかしながら前述した従来の前者のものでは、乗かごに乗り込んだ乗客が釦操作をする必要があり、乗かごに乗り込んだ時点で強い日差しにさらされたり、ブラインドを閉めたいと思いつつも他の乗客に気を使ってブラインドを閉めることを躊躇したりすることがあった。
【０００６】
また、後者のものでは、主に家屋に設けられるブラインドを想定したものであった。このため、室内の明るさを調整することはできるものの窓には基本的に常時ブラインドが掛かった状態であり、展望用エレベータに適用した場合、本来の目的である眺望の効果を損なうという問題があった。
【０００７】
本発明は、前述した従来技術における実状からなされたもので、その目的は、展望窓から差し込む強い日差しを避けることができるとともに、可能な限り展望窓からの眺望を楽しむことのできる展望用エレベータを提供することにある。
【課題を解決するための手段】
【０００８】
前記目的を達成するために、本発明は、乗かごに、外部を眺望可能とする展望窓と、この展望窓の内側に配置され多数の羽根を有するブラインドと、このブラインドを開閉する駆動手段とを備えた展望用エレベータにおいて、前記乗かご内の光量を検知する照度検知器と、前記乗かご内の温度を検知する温度検知器と、日の出日の入り時刻に基づき予め設定され、昼モードおよび夜モードに切替える昼夜切替えタイマと、前記駆動手段を制御する制御手段とを設け、前記制御手段は、昼夜切替えタイマが夜モードのとき前記駆動手段にブラインド開指令を出力し、一方、昼夜切替えタイマが昼モードのとき、前記照度検知器の検知光量が予め定められる所定値以上に達したことに応じて前記駆動手段にブラインド閉指令を出力するとともに、前記照度検知器の検知光量が予め定められる所定値以下に達したことに応じて前記駆動手段にブラインド開指令を出力し、かつ、前記温度検知器の検知温度が予め定められる所定値以上に達したことに応じて前記駆動手段にブラインド閉指令を出力するとともに、前記温度検知器の検知温度が予め定められる所定値以下に達したことに応じて前記駆動手段にブラインド開指令を出力することを特徴としている。
【０００９】
このように構成した本発明は、制御手段は、昼夜切替えタイマが夜モードの場合、無条件でブラインド開指令を出力し、駆動手段を介してブラインドを開けて利用客が夜景を楽しむことができるようにする。一方、昼夜切替えタイマが昼モードの場合、照度検知器の検知光量が予め定められる所定値以上に達したことに応じて駆動手段にブラインド閉指令を出力するとともに、照度検知器の検知光量が予め定められる所定値以下に達したことに応じて駆動手段にブラインド開指令を出力し、かつ、温度検知器の検知温度が予め定められる所定値以上に達したことに応じて駆動手段にブラインド閉指令を出力するとともに、温度検知器の検知温度が予め定められる所定値以下に達したことに応じて駆動手段にブラインド開指令を出力し、昼間は乗かご内に差し込む日差しの強さおよび乗かご内の温度に応じて適宜ブラインドが開閉される。このように、夜間はブラインドを開けて夜景を楽しむことができるようにするとともに、昼間は所定の条件でブラインドを開けて眺望を楽しむことができるようにする一方、所定の条件でブラインドを閉めて乗かご内を快適な状態に保つことができる。
【発明の効果】
【００１０】
本発明によれば、夜間はブラインドを開けて夜景を楽しむことができるようにするとともに、昼間は乗かご内に差し込む日差しの強さおよび乗かご内の温度に応じて適宜ブラインドが開閉し、所定の条件でブラインドを開けて眺望を楽しむことができるようにする一方、所定の条件でブラインドを閉めて乗かご内を快適な状態に保つことから、展望エレベータ特有の眺望の良さと乗かご内の快適性の両立を図ることができる。
【発明を実施するための最良の形態】
【００１１】
以下、本発明に係る展望用エレベータの実施の形態を図に基づいて説明する。
【００１２】
図１は本発明に係る展望用エレベータの一実施形態を示す概略構成図、図２は展望用エレベータに備えられるブラインドの動作処理手順を示すフローチャート、図３は展望用エレベータに備えられるイルミネーションの動作処理手順を示すフローチャートである。
【００１３】
本実施形態の展望用エレベータは図１に示すように、建屋に設けられる昇降路を昇降する乗かご１と、乗かご１から外部を眺望可能とする展望窓２と、この展望窓２の内側に配置され多数の羽根を有するブラインド３と、このブラインド３を開閉する駆動手段４と、乗かご１内の光量を検知する照度検知器５と、乗かご１内の温度を検知する温度検知器６と、エレベータの運転を統括制御する制御手段７と、乗かご１の周囲に配設されるイルミネーションランプ８とを備えている。また、前述の制御手段７は、日の出日の入り時刻に基づき予め設定され、昼モードおよび夜モードに切替える昼夜切替えタイマ９と、中央演算処理部１０とを有しており、この制御手段７によりブラインド３の開閉、イルミネーション８の動作、および乗かご１の運転等を制御するようになっている。
【００１４】
ここで、図２のフローチャートを用いてブラインド３の動作処理手順を説明する。制御手段７は手順Ｓ１として昼夜切替えタイマ９が昼モードかどうかを判断する。ここで昼モードでないこと、すなわち夜モードであることが判断されると制御手段７は手順Ｓ４として駆動手段４にブラインド開指令を出力し、ブラインド３を開けて乗かご１の利用客が夜景を楽しむことができるようにする。一方、前述の手順Ｓ１で昼夜切替えタイマ９が昼モードであることを判断すると、制御手段７は手順Ｓ２として照度検知器５の検知光量が予め定められる所定値以上かどうかを判断する。ここで検知光量が予め定められる所定値以上であることを判断すると、制御手段７は手順Ｓ５として駆動手段４にブラインド閉指令を出力し、ブラインド３を閉めて乗かご１内の乗客が日差しにより不快な思いをすることを防ぐ。
【００１５】
一方、前述の手順Ｓ２で照度検知器５の検知光量が予め定められる所定値以下であることを判断すると、制御手段７は手順Ｓ３として温度検知器６の検知温度が予め定められる所定値以上かどうかを判断する。ここで検知温度が予め定められる所定値以上であることを判断すると、制御手段７は手順Ｓ５に示すように駆動手段４にブラインド閉指令を出力し、ブラインド３を閉めて乗かご１内がさらに高温になることを防ぐ。一方、前述した手順Ｓ３で温度検知器６の検知温度が予め定められる所定値以下であることを判断すると、制御手段７は手順Ｓ４として駆動手段４にブラインド開指令を出力し、ブラインド３を開けて乗かご１の利用客が景色を楽しむことができるようにする。
【００１６】
次に、図３のフローチャートを用いてイルミネーションランプ８の動作処理手順を説明する。制御手段７は手順Ｓ１１に示すように昼夜切替えタイマ９が夜モードにあるとき、手順Ｓ１２として乗かご１が走行中であることを判断すると、手順Ｓ１６に示すようにイルミネーションランプ８を予め定められる遅い点滅で点灯する。また、手順Ｓ１３として乗かご１がサービス階に到着したことを判断すると、手順Ｓ１７に示すようにイルミネーションランプ８を予め定められる早い点滅で点灯する。さらに、手順Ｓ１４として乗かご１がサービスを完了したことを判断すると、手順Ｓ１８に示すようにイルミネーションランプ８を連続点灯する。一方、前述した手順Ｓ１１で昼夜切替えタイマ９が夜モードでないこと、すなわち昼モードであることが判断されると、制御手段７は手順Ｓ１５に示すようにイルミネーションランプ８を消灯する。
【００１７】
本実施形態によれば、夜間はブラインド３を開けて夜景を楽しむことができるようにするとともに、昼間は乗かご１内に差し込む日差しの強さおよび乗かご１内の温度に応じて適宜ブラインドが開閉し、所定の条件でブラインド３を開けて眺望を楽しむことができるようにする一方、所定の条件でブラインド３を閉めて乗かご１内を快適な状態に保つことから、展望エレベータ特有の眺望の良さと乗かご１内の快適性の両立を図ることができる。また、ブラインド３およびイルミネーションランプ８の制御に昼夜切替えタイマ９を共有することにより装置を簡易なものとすることができる。さらに、イルミネーションランプ８を乗かご１の運転状況に連動して異なるパターンで点灯して変化をもたせることにより、ビルの景観向上を図ることもできる。
【図面の簡単な説明】
【００１８】
【図１】本発明に係る展望用エレベータの一実施形態を示す概略構成図である。
【図２】展望用エレベータに備えられるブラインドの動作処理手順を示すフローチャートである。
【図３】展望用エレベータに備えられるイルミネーションの動作処理手順を示すフローチャートである。
【符号の説明】
【００１９】
１    乗かご
２    展望窓
３    ブラインド
４    駆動手段
５    照度検知器
６    温度検知器
７    制御手段
８    イルミネーションランプ
９    昼夜切替えタイマ
１０  中央演算処理部
【図１】
2008063038.tif 000003
【図２】
2008063038.tif 000004
【図３】
2008063038.tif 000005